(57)【要約】      （修正有）【課題】補助パーツ付箸の収納が容易で、収納した箸が脱落し難い小物食器収納具を提供する。【解決手段】小物食器収納具は、小物食器を収納する収納部１と、収納部１の上側及び下側にそれぞれ設けられた上側蓋部２及び下側蓋部３からなる一対の蓋部とを有し、収納部１には帯状部材４が横設されている。帯状部材４には小物食器を差し込む挿通孔５ａ、５ｂ、５ｃが複数並設され、挿通孔５ｂは幅が上側から下側に向かって徐々に狭くなるテーパー部２０を有する。【選択図】図１
0003232452.tif 000002
【実用新案登録請求の範囲】
【請求項１】
小物食器を収納する収納部と、
前記収納部に収納された前記小物食器を覆う蓋部とを有し、
前記収納部に前記小物食器を上側から差し込むための挿通孔が一つ以上設けられた小物食器収納具において、
前記挿通孔の少なくとも一つは、その孔の幅が上側から下側に向かって徐々に狭くなるテーパー部を有することを特徴とする小物食器収納具。
【請求項２】
前記収納部に収納された前記小物食器を覆う蓋部とを有し、
前記収納部に前記小物食器を上側から差し込むための挿通孔が一つ以上設けられた小物食器収納具において、
箸先端が離間する方向にバネ力を付勢する連結部を付属させた補助パーツ付箸に対して、前記挿通孔の少なくとも一つは、その上側の孔の幅が前記補助パーツ付箸の離間した先端の幅以上に設定され、かつ、孔の幅が上側から下側に向かって徐々に狭くなるテーパー部を有することを特徴とする小物食器収納具。
【請求項３】
前記収納部に横設した帯状部材を撓ませて前記収納部に固定することにより前記挿通孔が形成されていることを特徴とする請求項１又は請求項２に記載の小物食器収納具。
【請求項４】
前記帯状部材は伸縮性を有する素材からなり、前記挿通孔に差し込まれた前記小物食器が弾性的に保持されるようにしたことを特徴とする請求項１乃至３のいずれかに記載の小物食器収納具。
【請求項５】
前記テーパー部が形成されている前記挿通孔の上端から下端側に向かって所定の区間は、その横方向の幅が略一定であることを特徴とする請求項１乃至４のいずれかに記載の小物食器収納具。
【請求項６】
前記テーパー部が形成されている前記挿通孔の下端から上端側に向かって所定の区間は、その横方向の幅が略一定であることを特徴とする請求項１乃至５のいずれかに記載の小物食器収納具。
【請求項７】
前記テーパー部が形成されている前記挿通孔の前記帯状部材が形成するアーチの高さが、前記挿通孔の上端よりも下端側の方が低いことを特徴とする請求項１乃至５のいずれかに記載の小物食器収納具。
【請求項８】
前記小物食器を差し込む方向に対する前記テーパー部の傾斜の角度が１５度〜４５度の範囲内であることを特徴とする請求項１乃至７のいずれかに記載の小物食器収納具。
【考案の詳細な説明】
【技術分野】
【０００１】  本考案は、箸、スプーン、フォーク、ナイフ、ストロー等の小物食器を複数本収納する小物食器収納具に関するものである。
【背景技術】
【０００２】  従来、複数本の小物食器を収納する小物食器収納具として、硬質合成樹脂からなるカトラリーケースがある。しかし、巧緻性の未熟な幼児にあっては、フック式の留め具を解除して開けることが難しかったり、あるいは、落としたり乱暴な扱いをして破損させることが多い等、操作性と耐久性の面で問題がある。また、ケース本体、中皿部、蓋といった複数のパーツを組み合わせているため洗浄に手間がかかる、さらに、ケースと小物食器がセット売りされていることが多いため他の形や大きさの小物食器を収納することができないという問題もある。このような問題を解消する小物食器収納具として、布製（もしくはビニルシート製）の小物食器収納具が注目されている。
【先行技術文献】
【特許文献】
【０００３】
【特許文献１】特開２００６−５１０５９号  公報
【考案の概要】
【考案が解決しようとする課題】
【０００４】  従来の布製の小物食器収納具（図示せず）は、各小物食器毎にこれを差し込む挿通孔が設けられ、その挿通孔を形成する素材の弾性力によって差し込まれた小物食器を保持するように構成されているものが一般的である。箸を差し込む挿通孔は、１本１本独立した箸を収納する寸法に設計されている。【０００５】  しかしながら、近年、幼児が箸の使い方を学ぶために考案されたトレーニング箸と総称される補助パーツ付の箸を採用する家庭が増えている。補助パーツ付箸として、例えば図４（ａ）、（ｂ）に示すものがある。図４（ａ）に示す補助パーツ付箸７は、２本の箸を連結する連結部７１、７２を付属させたものである。図４（ｂ）に示す補助パーツ付箸４０は、２本の箸を連結する連結部４１と指を通すための複数のリング４２が設けられているものである。なお、補助パーツ付箸７は、箸先端が離れる方向にバネ力を付勢する連結部７２により、箸を把持していないときは箸先端が離間している。これに対し、補助パーツ付箸４０の連結部４１は箸後端を連結するだけのものでバネ力はないため、補助パーツ付箸４０の箸先端は自由に動くようになっている。【０００６】  このような補助パーツ付箸を従来の布製小物食器収納具に差し込もうとしても、箸を差し込む挿通孔の幅が狭いため、片方の箸先端を隣の挿通孔に差し込んでしまったり、うまく差し込めても箸の３分の１程度しか差し込むことができず、カバン等の中で揺れた時にぐらついて布製小物食器収納具から脱落してしまうという問題があった。【０００７】  本考案の目的は、上記従来技術の問題点に鑑み、補助パーツ付箸であっても収納が容易で、収納した箸が脱落し難い小物食器収納具を提供することにある。
【課題を解決するための手段】
【０００８】  本考案は、小物食器を収納する収納部と、上記収納部に収納された上記小物食器を覆う蓋部とを有し、上記収納部に上記小物食器を上側から差し込むための挿通孔が一つ以上設けられた小物食器収納具において、上記挿通孔の少なくとも一つは、その孔の幅が上側から下側に向かって徐々に狭くなるテーパー部を有することを特徴とする小物食器収納具である。【０００９】  また、本考案は、上記収納部に収納された上記小物食器を覆う蓋部とを有し、上記収納部に上記小物食器を上側から差し込むための挿通孔が一つ以上設けられた小物食器収納具において、箸先端が離間する方向にバネ力を付勢する連結部を付属させた補助パーツ付箸に対して、上記挿通孔の少なくとも一つは、その上側の孔の幅が上記補助パーツ付箸の離間した先端の幅以上に設定され、かつ、孔の幅が上側から下側に向かって徐々に狭くなるテーパー部を有することを特徴とする小物食器収納具である。【００１０】  なお、上記収納部に横設した帯状部材を撓ませて上記収納部に固定することにより上記挿通孔が形成されていることが好ましい。
また、上記帯状部材は伸縮性を有する素材からなり、上記挿通孔に差し込まれた上記小物食器が弾性的に保持されるようにすることが好ましい。
また、上記テーパー部が形成されている挿通孔の上端から下端側に向かって所定の区間は、その横方向の幅が略一定であることが好ましい。
また、上記テーパー部が形成されている挿通孔の下端から上端側に向かって所定の区間は、その横方向の幅が略一定であることが好ましい。
もちろん、上記テーパー部が形成されている挿通孔の上端から下端側に向かって所定の区間はその横方向の幅が略一定であり、かつ、上記テーパー部が形成されている挿通孔の下端から上端側に向かって所定の区間はその横方向の幅が略一定であっても良い。
また、上記テーパー部が形成されている上記挿通孔の上記帯状部材が形成するアーチの高さが、上記挿通孔の上端よりも下端側の方が低いことが好ましい。
また、上記小物食器を差し込む方向に対する上記テーパー部の傾斜の角度が１５度〜４５度の範囲内であることが好ましい。
【考案の効果】
【００１１】  本考案によれば、補助パーツ付箸の収納が容易で、収納した箸が脱落し難い小物食器収納具を提供できる。
【図面の簡単な説明】
【００１２】
【図１】（ａ）は本考案の小物食器収納具の一実施形態を示す正面図、（ｂ）は小物食器を収納して下側蓋部を閉じた状態の正面図、（ｃ）はＡ−Ａ断面図である。
【図２】本考案の小物食器収納具の収納部を示す拡大図である。
【図３】（ａ）〜（ｃ）はそれぞれ本考案の小物食器収納具の箸用収納部の変形例を示す拡大図である。
【図４】（ａ）及び（ｂ）はそれぞれ連結部を有する補助パーツ付箸の例を示す説明図である。
【考案を実施するための形態】
【００１３】  以下、添付図面に従って本考案の実施の形態を説明する。図１において、１は小物食器を複数本収納する収納部であり、この収納部１の上側及び下側にはそれぞれ上側蓋部２及び下側蓋部３からなる一対の蓋部が設けられている。収納部１、上側蓋部２及び下側蓋部３の素材としては、１枚ものの布を縫製したもの、表用と裏用の２枚の布を縫製したもの、シリコーン樹脂や塩化ビニル等の柔軟性を有するプラスチックシート、あるいは小物食器を収納する面をプラスチックシートとしそれ以外を布にした複合材等を用いることができる。洗濯機で手軽に洗えるという点では布製が好ましい。また、収納部１、上側蓋部２及び下側蓋部３は、１つの連続する素材で繋ぎ目なく構成したものであっても良いし、各パーツ毎に作成しこれを繋ぎ合わせたものであっても良い。
【００１４】  収納部１には帯状部材４が横設され、これを複数のアーチが形成されるように撓ませた状態で収納部に固定（布にあっては縫製）することにより、小物食器を差し込むための挿通孔５ａ、５ｂ、５ｃが並設されている。本実施態様においては、挿通孔５ａ、５ｂ、５ｃのそれぞれに、小物食器としてスプーン６、補助パーツ付箸７、フォーク８がその中間部分まで差し込まれた状態で保持されている。帯状部材４はゴムバンドのような伸縮性のある素材であることが望ましい。このような伸縮性の素材を用いることにより、小物食器が挿通孔５ａ、５ｂ、５ｃに差し込まれたときに、伸張した帯状部材の収縮力により小物食器が弾性的に保持される。
【００１５】  上側蓋部２は、図１（ａ）の上側の横方向に延びる破線（説明のために便宜上設けた線である）部分で折り曲げることにより閉じられ、収納部１に収納された小物食器の少なくとも上半分を覆うようになっている。上側蓋部２には後述する下側蓋部３の係止部材１０と係止される係止部材９が設けられている。１１は取手部であり、上側蓋部２を開閉する際に指で摘まめるように取り付けておくと便利である。
【００１６】  下側蓋部３は、図１（ａ）の下側の横方向に延びる破線（説明のために便宜上設けた線である）部分で折り曲げることにより閉じられ、図１（ｂ）に示すように挿通孔に差し込まれた小物食器の下半分を覆うようになっている。図１（ｂ）に示す状態で、袋（ポケット）状になるように、下側蓋部３と収納部１との淵の部分を縫製しても良い。袋状に縫製しても、上側（小物食器が差し込まれる部分）が解放されているため、下側蓋部３を裏返して内側の箸先端が触れる部分を洗うことが可能である。また、縫製せずに、フックボタンや面ファスナー等の係止手段を下側蓋部３と収納部１の合わせ面に取り付けておいても良い。このようにすれば、係止手段を解除して下側蓋部３を広げることにより、箸先端が触れる部分の洗浄が容易となる。
【００１７】  また、上述の通り下側蓋部３には係止部材１０が設けられ、上側蓋部２及び下側蓋部３を閉じた時に係止部材９と１０が係止されるようになっている。係止部材９、１０として面ファスナーを用いることができる。なお、係止部材９は係止部材１０よりも長い長さを有している。これにより、小物食器収納具の使用者の成長と共に扱う小物食器の長さが変化しても、それに応じて上側蓋部２を折り畳む位置（長さ）を調整して、係止部材９を係止部材１０に係止できるようになっている。
【００１８】  図１において挿通孔５ｂに保持されている補助パーツ付箸７は、図４（ａ）に示されているように、箸の後端及び中間に連結部７１、７２を有しており、中間の連結部７２のばね力により、箸を把持しない状態において、箸先端は離間（解放）した状態になっている。そのため、挿通孔５ｂの開口幅は、その上側の開口の幅が補助パーツ付箸の離間した先端の幅よりも若干狭い程度であれば差し支えないが、狭すぎると幼児が補助パーツ付箸の片方を誤って隣の挿通孔５ａまたは５ｃに差し込みやすい。そこで挿通孔５ｂの上側の開口の幅は補助パーツ付箸の離間した先端の幅以上の幅に設定されていることが望ましい。なお、挿通孔５ｂに補助パーツ付箸７を挿入しやすいということは、１本１本が独立した箸や図４（ｂ）に示す補助パーツ付箸４０も挿入しやすいことを意味する。
【００１９】  そして挿通孔５ｂには、その孔の幅が上側から下側に向かって（即ち、小物食器を差し込む方向に向かって）徐々に狭くなるテーパー部２０が形成されている。挿通孔５ｂに差し込まれた補助パーツ付箸７の先端は、このテーパー部２０に沿って、その間隔が徐々に狭まりながら挿通孔５ｂに差し込まれる。このテーパー部２０があることにより、差し込まれた補助パーツ付箸７の幅方向の動きが制限され、挿通孔５ｂ内での補助パーツ付箸７のぐらつきを抑制することができる。
【００２０】  図２は挿通孔の拡大図であり、布製の収納部１に帯状部材４を横設して縫い付けた状態を示している。図２において破線はミシン縫いしたステッチであり、紙面上縦方向のステッチにより挿通孔５ａ、５ｂ、５ｃ毎に区画されている。そして、挿通孔５ｂにおいては、挿通孔上端から下端にかけて設けた２本の斜めのステッチにより、テーパー部２０が形成されている。なお、本実施形態においては、挿通孔５ａの左側のステッチと挿通孔５ｃの右側のステッチが、収納部１の淵から離れた位置に設けられている。これにより、挿通孔５ａと５ｃに保持される小物食器が収納部１の脇からはみ出し難くなっている。
【００２１】  ここでテーパー部２０の作用効果について説明する。このテーパー部２０がなく、挿通孔５ｂの幅（挿通孔の幅）が上から下まで広い幅のままになっている場合は、カバン等の中で小物食器収納具が揺れた時に補助パーツ付箸７が挿通孔５ｂ内でぐらついて小物食器収納具から脱落しやすい。これに対し、テーパー部２０があると、上述の通り、補助パーツ付箸７の幅方向の動きが制限され、補助パーツ付箸７のぐらつきが抑制される。その結果、カバン等の中で揺れても補助パーツ付箸７が小物食器収納具から脱落し難い。これは図４（ｂ）に示す補助パーツ付箸４０も同様である。また、１本１本が独立した箸に関しても、テーパー部２０の下端の幅が狭くなっているため、テーパー部２０がない場合に比べてぐらつきにくくなっている。
【００２２】  次に、テーパー部２０の傾斜角度の好ましい範囲について説明する。小物食器を挿通する方向（紙面上垂直方向）に対してテーパー部２０の傾斜がなす角度θは、１５度〜４５度の範囲内であることが好ましい。１５度より小さいと箸のぐらつきを抑制する効果が小さく、４５度を超えると箸挿通時に箸先端との接触抵抗が大きくなり、帯状部材４が破損しやすい。特に好ましい角度θの範囲は２５度〜３５度程度である。
【００２３】  図３にテーパー部を有する挿通孔の変形例を示す。図３（ａ）に示すように箸用の挿通孔５ｂは、その上端から下端側に向かって所定の区間は略一定の幅であり、当該区間の下端から徐々に狭くなるようにテーパー部２０が形成されても良い。上端からテーパー状に狭くなる構成の場合は、補助パーツ付箸７の箸先端にはこれを離間する方向にばね力が加わっているため、幼児は箸先端とテーパー部との接触抵抗によりうまく挿入できないことがある。これに対して、挿通孔５ｂの上端から下端側に向かって所定の区間を略一定の幅とすることにより、補助パーツ付箸７の箸先端をスムーズに挿入することができる。具体的に、挿通孔５ｂの上端からテーパー部２０の上端までの距離は、少なくとも３ｍｍあれば良いが、５ｍｍ以上が好ましい。
【００２４】  また、図３（ｂ）に示すように、箸用の挿通孔５ｂは、その下端から上端側に向かって所定の区間は略一定の幅であり、当該区間の上端まで上記テーパー部が形成されていても良い。下端から上端側に向かって所定の区間が略一定の幅であることにより、挿通孔５ｂの下端までテーパー状に狭くなる構成に比べ、保持する箸のぐらつきを抑制する効果が大きい。この効果は、１本１本が独立した箸の場合に特に顕著である。具体的に、挿通孔５ｂの下端からテーパー部２０の下端までの距離は、少なくとも３ｍｍあれば良いが、５ｍｍ以上が好ましい。
【００２５】  更に、図３（ｃ）に示すように、箸用の挿通孔５ｂは、上から順に、幅が略一定区間（幅広）、テーパー部、略一定区間（幅狭）のように３段階としても良い。この構成であれば、上記図３（ａ）と上記図３（ｂ）の態様の効果を同時に得られる。
【００２６】  なお、図３（ａ）〜（ｃ）のように幅が略一定の区間を設ける場合は、帯状部材４の幅（紙面上垂直方向の長さ）を大きくするなどして、テーパー部２０の角度θが適正な値となるように調整すれば良い。
【００２７】  次に、挿通孔５ａ、５ｂ、５ｃのアーチの高さについて説明する。図１（ｃ）に示す通り、帯状部材４を撓ませた状態で収納部１に固定（縫製）することにより、所定のアーチ高さを有する挿通孔５ａ、５ｂ、５ｃが形成される。挿通孔５ａ、５ｃは上側から下側に向かってアーチの高さが略一定であるが、挿通孔５ｂはテーパー部２０を設けることにより、上側から下側に向かってアーチの高さも徐々に低くなるようにしている。これにより挿通孔５ｂは、上端側の幅が広くアーチが高いため小物食器を差し込み易く、かつ、上端側の幅が狭くアーチが低いため小物食器が抜け難い。
【００２８】  以下に本考案の具体例について説明する。
帯状部材としてゴムバンドを布製の収納部に横設し、図３（ｃ）に示すような上側から順に、幅が略一定区間（幅広）、テーパー部、略一定区間（幅狭）の３段階の挿通孔を形成した。挿通孔の寸法は次のとおりである。紙面上垂直方向における帯状部材の幅は３５ｍｍであり、幅が略一定区間（幅広）の長さは１０ｍｍ、テーパー部の区間の長さは１５ｍｍ、略一定区間（幅狭）の長さは１０ｍｍである。挿通孔の上端の幅及びアーチ高さはそれぞれ３５ｍｍ、１２ｍｍ、挿通孔の下端の幅及びアーチ高さはそれぞれ１５ｍｍ、５ｍｍである。テーパー部の角度θは約３３．７度である。この挿通孔に、１本１本が独立した箸、図４（ａ）、（ｂ）に示すような補助パーツ付箸を差し込んだところ、これを逆様にしても落下せず、更に軽く揺すっても落下しないことを確認した。
【００２９】  以上に本考案の実施の形態を説明したが、本考案は上記実施の形態に限定されるものではなく、本考案の趣旨を逸脱しない範囲で種々の変更を加え得ることは勿論である。
【００３０】  例えば、上述の実施態様は、３本の小物食器を収納できる小物食器収納具であるが、収納される小物食器の本数（挿通孔の数）は特に限定されない。
また、上述の実施態様は、挿通孔５ａ、５ｂにテーパー部を設けていないが、それらの一方あるいは両方にもテーパー部を設けても良い。つまり、挿通孔が複数ある場合は、そのうちの少なくとも一つ以上の挿通孔にテーパー部を設ければ良い。
もちろん、テーパー部を有する挿通孔を１つだけ設けた小物食器１本用の小物食器収納具としても良い。
【符号の説明】１…収納部
２…上側蓋部
３…下側蓋部
４…帯状部材
５ａ、５ｂ、５ｃ…挿通孔
９、１０…係止部
２０…テーパー部
【図１】
0003232452.tif 000003
【図２】
0003232452.tif 000004
【図３】
0003232452.tif 000005
【図４】
0003232452.tif 000006
【手続補正書】
【提出日】令和2年11月20日(2020.11.20)
【手続補正１】
【補正対象書類名】実用新案登録請求の範囲
【補正対象項目名】請求項２
【補正方法】変更
【補正の内容】
【請求項２】
小物食器を収納する収納部と、
前記収納部に収納された前記小物食器を覆う蓋部とを有し、
前記収納部に前記小物食器を上側から差し込むための挿通孔が一つ以上設けられた小物食器収納具において、
箸先端が離間する方向にバネ力を付勢する連結部を付属させた補助パーツ付箸に対して、前記挿通孔の少なくとも一つは、その上側の孔の幅が前記補助パーツ付箸の離間した先端の幅以上に設定され、かつ、孔の幅が上側から下側に向かって徐々に狭くなるテーパー部を有することを特徴とする小物食器収納具。
【手続補正２】
【補正対象書類名】実用新案登録請求の範囲
【補正対象項目名】請求項４
【補正方法】変更
【補正の内容】
【請求項４】
前記帯状部材は伸縮性を有する素材からなり、前記挿通孔に差し込まれた前記小物食器が弾性的に保持されるようにしたことを特徴とする請求項３に記載の小物食器収納具。
【手続補正３】
【補正対象書類名】実用新案登録請求の範囲
【補正対象項目名】請求項７
【補正方法】変更
【補正の内容】
【請求項７】
前記テーパー部が形成されている前記挿通孔の前記帯状部材が形成するアーチの高さが、前記挿通孔の上端よりも下端側の方が低いことを特徴とする請求項３乃至６のいずれかに記載の小物食器収納具。
【手続補正書】
【提出日】令和3年2月19日(2021.2.19)
【手続補正１】
【補正対象書類名】実用新案登録請求の範囲
【補正対象項目名】全文
【補正方法】変更
【補正の内容】
【実用新案登録請求の範囲】
【請求項１】
小物食器を収納する収納部と、
前記収納部に収納された前記小物食器を覆う蓋部とを有し、
前記収納部に前記小物食器を上側から差し込むための挿通孔が一つ以上設けられた小物食器収納具において、
前記挿通孔の少なくとも一つは、その孔の幅が上側から下側に向かって徐々に狭くなるテーパー部を有することを特徴とする小物食器収納具。
【請求項２】
小物食器を収納する収納部と、
前記収納部に収納された前記小物食器を覆う蓋部とを有し、
前記収納部に前記小物食器を上側から差し込むための挿通孔が一つ以上設けられた小物食器収納具において、
箸先端が離間する方向にバネ力を付勢する連結部を付属させた補助パーツ付箸に対して、前記挿通孔の少なくとも一つは、その上側の孔の幅が前記補助パーツ付箸の離間した先端の幅以上に設定され、
かつ、孔の幅が上側から下側に向かって徐々に狭くなるテーパー部を有することを特徴とする小物食器収納具。
【請求項３】
前記収納部に横設した帯状部材を撓ませて前記収納部に固定することにより前記挿通孔が形成されていることを特徴とする請求項１又は請求項２に記載の小物食器収納具。
【請求項４】
前記帯状部材は伸縮性を有する素材からなり、前記挿通孔に差し込まれた前記小物食器が弾性的に保持されるようにしたことを特徴とする請求項３に記載の小物食器収納具。
【請求項５】
前記テーパー部が形成されている前記挿通孔の前記帯状部材が形成するアーチの高さが、前記挿通孔の上端よりも下端側の方が低いことを特徴とする請求項３又は請求項４に記載の小物食器収納具。
【請求項６】
前記テーパー部が形成されている前記挿通孔の上端から下端側に向かって所定の区間は、その横方向の幅が略一定であることを特徴とする請求項１乃至５のいずれかに記載の小物食器収納具。
【請求項７】
前記テーパー部が形成されている前記挿通孔の下端から上端側に向かって所定の区間は、その横方向の幅が略一定であることを特徴とする請求項１乃至６のいずれかに記載の小物食器収納具。
【請求項８】
前記小物食器を差し込む方向に対する前記テーパー部の傾斜の角度が１５度〜４５度の範囲内であることを特徴とする請求項１乃至７のいずれかに記載の小物食器収納具。